(57)【要約】【目的】装置本体の小型化やユニットの小型化を行った場合においても容易にジャム処理を行うことができ、以て作業性の向上を図ることができる画像形成装置を提供すること。【構成】加熱手段により加熱されるとともに回転自在に構成される定着ローラと加圧手段により加圧され、前記定着ローラと当接し、ニップを形成する加圧ローラを有し、加圧手段の加圧力を解除して加圧解除状態を保持できる加圧解除機構を有し、且つ、支点を中心に回転し開閉が可能な記録材ガイド部材を有し、加圧及び加熱された前記定着ローラ及び加圧ローラが加圧力及び熱により記録材上の未定着画像を定着させる定着装置が設けられた画像形成装置において、前記加圧解除機構に連動して前記記録材ガイド部材が移動可能である定着装置を有することを特徴とする。【選択図】      図１
2005024898.tif 000002
【特許請求の範囲】
【請求項１】
加熱手段により加熱されるとともに回転自在に構成される定着ローラと加圧手段により加圧され、前記定着ローラと当接し、ニップを形成する加圧ローラを有し、加圧手段の加圧力を解除して加圧解除状態を保持できる加圧解除機構を有し、且つ、支点を中心に回転し開閉が可能な記録材ガイド部材を有し、加圧及び加熱された前記定着ローラ及び加圧ローラが加圧力及び熱により記録材上の未定着画像を定着させる定着装置が設けられた画像形成装置において、
前記加圧解除機構に連動して前記記録材ガイド部材が移動可能である定着装置を有することを特徴とする画像形成装置。
【請求項２】
前記加圧解除機構が装置本体の持つ駆動機構により加圧解除状態の保持或は加圧状態の保持の制御が可能であることを特徴とする請求項１記載の画像形成装置。
【請求項３】
前記加圧解除機構が紙ズマリ感知手段により紙ズマリを検知されると同時に加圧状態から加圧解除状態に制御可能な定着装置を有することを特徴とする請求項１記載の画像形成装置。
【発明の詳細な説明】
【０００１】
【発明の属する技術分野】
本発明は、プリンタ、複写機等の定着装置を有する画像記録装置に関するものである。
【０００２】
【従来の技術】
従来、定着ローラと加圧ローラとは、通常の状態では所定の圧力で圧接されており、圧接されたままの状態で放置されるとローラ表面のゴム層が変形する場合があった。このローラの変形を防止するために、出荷時や長期間装置を使用しない時等、両ローラの軸間に樹脂製のスぺーサー等を挟みローラ部への圧の解除を行う場合と、或は予め装置内に設けられたレバー操作等により作動する圧解除手段、又は駆動装置からの駆動力により自動的に行う自動圧解除手段により両ローラが当接しない状態に保持するようにしている。
【０００３】
又、上記圧解除機構は紙ズマリ等の処理時にも作用させローラ間のニップの離間を行って紙の処理を行うものが一般的であった。
【０００４】
上述のように、レバー操作により圧解除を行うものは例えば特許文献１に記載されている。
【０００５】
【特許文献１】
特開平５−１００６０１号公報（第３頁、図１）
【発明が解決しようとする課題】
しかし、装置本体の小型化等により、例えば図８に示すように、排紙下ガイド１４を支点を中心に回転した場合、装置本体側の制約により例えばＷ寸法が広く取れず、結果的に開口部の高さｈ３が広くできないという問題があった。この場合、例えば支点位置を図８において上部変更し、排紙下ガイド１４自身を小型化する方法も考えられるが、支点位置を上げるとｈ３’の高さが狭まり、同様に開口部も大きく取れず、ジャム処理性が悪いという問題があった。
【０００６】
本発明は上記問題に鑑みてなされたもので、その目的とする処は、装置本体の小型化やユニットの小型化を行った場合においても容易にジャム処理を行うことができ、以て作業性の向上を図ることができる画像形成装置を提供することにある。
【０００７】
【課題を解決するための手段】
上記目的を達成するため、本発明は、加熱手段により加熱されるとともに回転自在に構成される定着ローラと加圧手段により加圧され、前記定着ローラと当接し、ニップを形成する加圧ローラを有し、加圧手段の加圧力を解除して加圧解除状態を保持できる加圧解除機構を有し、且つ、支点を中心に回転し開閉が可能な記録材ガイド部材を有し、加圧及び加熱された前記定着ローラ及び加圧ローラが加圧力及び熱により記録材上の未定着画像を定着させる定着装置が設けられた画像形成装置において、前記加圧解除機構に連動して前記記録材ガイド部材が移動可能である定着装置を有することを特徴とする。
【０００８】
従って、本発明によれば、加圧ローラを保持する保持部材に紙ガイド部材の回転支点を持ち、圧解除機構の離間動作に連動し紙ガイドを移動させることを可能とし、これにより開口部を拡大することでジャム処理時の作業性の向上させることができる。
【０００９】
【発明の実施の形態】
以下に本発明の実施の形態を添付図面にも基づいて説明する。
【００１０】
図１〜図６に示すように、記録装置本体１５内に配置されて未定着画像を担持させた用紙１６を熱と加圧力により定着するための定着ユニット１０は、内部に加熱用のヒータ９を有して直接用紙と接触して用紙に熱及び加圧力を加える定着ローラ１と加圧ローラ２が設けられている。定着ローラ１は、定着ユニット１０に対して回転自在に取付られており、加圧ローラ２はやはり加圧アーム４に回転自在に取り付られている。加圧アーム４は、支点５を中心として揺動可能であり図４及び図５に示す加圧バネ２２により発生した加圧力を受け、加圧ローラ２を介して加圧ローラ２を定着ローラ１へ当接させることで用紙１６への加圧力を発生させる。
【００１１】
又、加圧バネ２２の上部には、加圧アーム４を介して軸３ａを中心に回転可能なカム３が設けられている。又、図２に示すように、装置本体１５に設けられた駆動源（図示せず）より伝達された駆動力は、通常、第１アイドラギア８と第２アイドラギア１８を介して定着ローラ１に固定された定着ギア１７に伝達されることによって定着ローラ１が回転する。
【００１２】
一方、駆動力は、第２アイドラギア１８を介して内部に一方向のみに駆動の伝達を行うワンウェイクラッチを内蔵するワンウェイギア１２ａにも伝達されるが、図２において時計回り回転をする通常の回転方向ではワンウェイギア１２ａはクラッチの作用により駆動力の伝達を行っていない。
【００１３】
しかし、前記駆動源（図示せず）が通常の用紙１６の搬送方向に対して逆回転を行うと駆動力が軸１２ｂに伝達され、軸１２ｂに固定された第３アイドラギア１２ｃが回転する。更に、この駆動力は第３アイドラギア１２ｃより第４アイドラギア１３と第５アイドラギア１４を介してカムシャフトギア１５を回転させ、更にカムシャフトギア１５に固定されたカムシャフト３ａ及びカムシャフト３ａに固定されたカム３を回転させる。このとき、カム３が加圧アーム４を押し下げ、加圧フレーム上に設けられた加圧フラグ４ｂが装置本体１５に設置された圧解除センサー２１の受光部を遮ることから圧解除状態を検知し、駆動源（図示せず）の回転を停止し、カム３が加圧アーム４を押し下げた状態を保持することによって、定着ローラ１と加圧ローラ２が離間されて加圧力の解除が行える構成となっている。
【００１４】
又、定着ローラ１と加圧ローラ２の下流部には用紙１６の案内用の排紙ガイド１４が加圧フレーム４に設けられた回転支点４ａを中心に遥動可能に取り付けられており、この排紙ガイド１４と共に用紙１６の搬送を行う排紙ローラ１１が排紙バネ１９のバネ力により定着装置１０に当接されて位置決めされている。
【００１５】
又、用紙１６の通過或は滞留を検知するためのセンサーレバー７が用紙１６の上部の案内を行う排紙上ガイド２０内に設けられている。センサーレバー７は、図１〜図３に示すように、揺動可能に取り付けられており、用紙１６の通過時には、図１に示すように、センサーレバー７のレバー部７ｂが用紙１６により押し上げられて回転することでセンサーレバー７の端部に設けられたフラッグ７ａが装置本体１５に設けられた排紙センサー６の受光部を遮り、その遮光時間により用紙１６の通過或は滞留を検知する構成となっている。
【００１６】
上記の構成において、例えば用紙１６が何らかの原因で紙ズマリを起こした場合、図６に示すように、回転支点４ａを中心に排紙ガイド１４を回転させて排紙部を開口させた場合、支点近傍ではｈ２’，最小開口高さｈ２が確保されるが、この時点ではローラニップ部には加圧力が掛かったままである。
【００１７】
次に、図２に示すように、前述の駆動源（図示せず）の逆回転によりワンウェイギア１２ａがロックし、軸１２ｂに伝達された駆動力により軸１２ｂに固定された第３アイドラギア１２ｃが回転する。更に、この駆動力は第３アイドラギア１２ｃより第４アイドラギア１３と第５アイドラギア１４を介してカムシャフトギア１５を回転させ、更にカムシャフトギア１５に固定されたカムシャフト３ａ及びカムシャフト３ａに固定されたカム３を回転させる。このとき、カム３が加圧アーム４を押し下げ、加圧フレーム上に設けられた加圧フラグ４ｂが装置本体１５に設置された圧解除センサー２１の受光部を遮ることから圧解除状態を検知し、駆動源（図示せず）の回転を停止し、カム３が加圧アーム４を押し下げた状態を保持することで、定着ローラ１と加圧ローラ２が離間され、加圧力の解除が行われる。
【００１８】
更に、加圧アーム４上に設けられた回転支点４ａを中心に排紙ガイド１４を開くことで、図６に示すように、離間動作の行われる以前の支点近傍の開口高さｈ２及び最小開口高さｈ２’と比較し、図３に示すように、より大きな支点近傍の開口高さｈ１’及び最小開口高さｈ１を確保できるため、圧の解除されたローラニップより用紙１６を容易に取り除くことができる。
【００１９】
【発明の効果】
以上説明したように、本発明によれば、加圧ローラを保持する保持部材に紙ガイド部材の回転支点を持ち、圧解除機構の離間動作に連動して紙ガイドを移動させることを可能としたことで、従来機と比較しジャム処理時の装置本体への張り出し量を最小限に抑え、且つ、ガイド支点部及び最小開口部共により広いスペースを確保することでジャム処理時の作業性の向上させることができる。
【００２０】
又、本発明によれば、従来ではジャム処理性を割り切らなければ実現が不可能であった定着装置及び装置本体の小型化が従来構成を大きく変更することなく、又、類似仕様の従来機と同様のコストで実現可能なった。
【図面の簡単な説明】
【図１】本発明の実施形態の定着ユニットの側面説明図である。
【図２】本発明の実施形態の定着ユニットの駆動部を示す側面説明図である。
【図３】本発明の実施形態の定着ユニットの圧解除状態を示す側面説明図である。
【図４】本発明の実施形態の定着ユニットの圧解除機構を示す側面説明図である。
【図５】本発明の実施形態の定着ユニットの加圧状態を示す側面説明図である。
【図６】本発明の実施形態の定着ユニットの装置本体への装着状態を示す説明図である。
【図７】本発明の実施形態の定着ユニットの加圧状態の開口高さを示す側面説明図である。
【図８】従来例の定着ユニットのジャム処理状態を示す側面説明図である。
【符号の説明】
１    定着ローラ
２    加圧ローラ
３    圧解除カム
７    センサーレバー
【図１】
2005024898.tif 000003
【図２】
2005024898.tif 000004
【図３】
2005024898.tif 000005
【図４】
2005024898.tif 000006
【図５】
2005024898.tif 000007
【図６】
2005024898.tif 000008
【図７】
2005024898.tif 000009
【図８】
2005024898.tif 000010